(57)【特許請求の範囲】
【請求項１】
廃棄ガラスの回収利用に使うガラス再製装置であって、本体を含み、前記本体の内部には第一運動空間が設置され、前記第一運動空間の左端壁には第一モータが固定的に設置され、前記第一モータの右側には右方に延びた第一軸が伝動可能に連結され、前記第一軸の左端には第一斜歯歯車が固定的に設置され、前記第一軸の右端には第一ラチェットが固定的に設置され、前記第一ラチェットの右端には右方に延びた第二軸が固定的に設置され、前記第一ラチェットの右方には第一プーリが設置され、前記第一プーリには伝動ベルトがスライド可能に設置され、前記第一プーリの上方には第二プーリが設置され、前記第二プーリと前記第一プーリとが前記伝動ベルトにより伝動可能に連結され、前記第二プーリの中心部には右方に延びた第三軸が固定的に設置され、前記第三軸の右方には第二運動空間が設置され、前記第二運動空間の内部には第二斜歯歯車が設置され、前記第二斜歯歯車と前記第三軸とが固定的に連結され、前記第三軸の上方には第三斜歯歯車が噛み合うように設置され、前記第三斜歯歯車の中心部には後方に延びた第四軸が固定的に設置され、前記第四軸には第三プーリが固定的に設置され、前記第三プーリには輸送ベルトがスライド可能に設置され、前記輸送ベルトには輸送空間が設置され、前記輸送空間の上方には開口が一個設置され、開口を通じて廃棄ガラスを前記輸送空間の内部に置くことができ、前記第一軸は正回転する時しか前記第二軸の回転を連動させることができず、前記第一プーリの右側には破砕空間が設置され、前記破砕空間と前記第一運動空間とが連通しており、前記破砕空間の内部には回転筒が設置され、前記回転筒が前記第二軸と固定的に連結されており、前記回転筒には破砕槌が固定的に設置され、前記回転筒の後方には前記回転筒と構成が一致する機構が設置され、前記回転筒の右方には第一歯車が設置され、前記第一歯車と前記第二軸とが固定的に連結され、前記第一歯車の後方には第二歯車が噛み合うように設置され、前記第二歯車の中心部には第五軸が固定的に設置され、前記第一斜歯歯車の下方には第四斜歯歯車が噛み合うように設置され、前記第四斜歯歯車の中心部には下方に延びた第六軸が固定的に設置され、前記第六軸の下端には第二ラチェットが固定的に設置され、前記第二ラチェットの下端には第九軸が固定的に設置されていることを特徴とする廃棄ガラスの回収利用に使うガラス再製装置。
【請求項２】
前記第九軸の下方には第一回転空間が設置され、前記第一回転空間の内部には第五斜歯歯車が設置され、前記第五斜歯歯車が前記第九軸と固定的に連結され、前記第五斜歯歯車の右方には第三歯車が噛み合うように設置され、前記第三歯車の周辺には第二回転空間が設置されていることを特徴とする請求項１に記載の廃棄ガラスの回収利用に使うガラス再製装置。
【請求項３】
前記第三歯車の中心部には洗浄倉が固定的に設置され、前記洗浄倉の周辺には第三回転空間が設置され、前記洗浄倉の左端の上方には洗浄倉水入り口が設置され、前記洗浄倉の左下端には第四回転空間が設置され、前記洗浄倉の内部には洗浄空間が設置され、前記洗浄空間の下端には洗浄止板が設置され、前記洗浄止板は前記洗浄空間の下端を封じていることを特徴とする請求項２に記載の廃棄ガラスの回収利用に使うガラス再製装置。
【請求項４】
前記第四回転空間の内部には第四歯車が設置され、前記第四歯車の中心部には動力軸が固定的に設置され、前記動力軸の下端には第二モータが伝動可能に連結されていることを特徴とする請求項３に記載の廃棄ガラスの回収利用に使うガラス再製装置。
【請求項５】
前記第四歯車の左端には外部歯車スリーブが噛み合うように設置され、前記外部歯車スリーブの中心部には第七軸がネジ山により連結され、前記第七軸の上方には移動空間が設置され、前記第七軸の上端にはピンが固定的に設置され、前記ピンは第七軸の回転を制限できることを特徴とする請項４に記載の廃棄ガラスの回収利用に使うガラス再製装置。
【請求項６】
前記第七軸の下方には排水止板が固定的に設置され、前記排水止板の左右両端には汚水出口があり、前記汚水出口の右端には防護網が設置され、前記洗浄倉の右下端には第五回転空間が設置され、前記第五回転空間の内部には第五歯車は設置されていることを特徴とする求項５に記載の廃棄ガラスの回収利用に使うガラス再製装置。
【請求項７】
前記第五歯車の中心部には後方に延びた第八軸が固定的に設置され、前記第八軸の後方には第三モータが伝動可能に連結され、前記第三斜歯歯車の上方には前記洗浄止板が噛み合うように設置され、前記洗浄止板の右方には中空空間が設置されていることを特徴とする請求項６に記載の廃棄ガラスの回収利用に使うガラス再製装置。
【請求項８】
前記洗浄倉水入り口の上方には水入れ管路が設置され、前記水入れ管路の内部には水ポンプが設置され、前記水入れ管路の左方には水入れ口が設置され、前記汚水出口の左方には排水穴が設置され、前記排水穴と前記汚水出口とが連通しており、前記洗浄止板の下方には連結空間が設置され、前記連結空間の下方には溶解空間が設置され、前記連結空間と前記溶解空間とが連通するように連結され、前記溶解空間の周辺には加熱器が設置され、前記加熱器はガラスを加熱溶解することができることを特徴とする請求項６に記載の廃棄ガラスの回収利用に使うガラス再製装置。
【発明の詳細な説明】
【技術分野】
【０００１】
本願発明は工業生産分野に関し、具体的には廃棄ガラスの回収利用に使うガラス再製装置に関する。
【背景技術】
【０００２】
科学技術の発展につれて、ガラスが建築材料として使われるようになるとともに、ガラスに対する需要量もますます大きくなるが、従来のガラス生産において枯渇性原材料の需要量が大きい。一方で、毎年の廃棄ガラスの数が多いことから、これらの廃棄ガラスをガラス生産に使うと、資源の節約が実現できる。したがって、廃棄ガラスの回収利用に使うガラス再製装置を設計して回収の廃棄ガラスで新しいガラス製品に作り変えることが重要である。廃棄ガラスの循環利用のため、廃棄ガラスをきれいに洗うことが必要である。それに対し、本願発明は廃棄ガラスを破砕してきれいに洗浄し、融かして新しいガラスに作り変えることができる。
【先行技術文献】
【特許文献】
【０００３】
【特許文献１】中国特許出願公開第１０８４６７１８３号明細書
【発明の概要】
【発明が解決しようとする課題】
【０００４】
技術問題：
廃棄ガラスの回収利用に使うガラス再製装置を提供し、現有技術の上記問題を解決でき、装置の実用性を強化できる。
【課題を解決するための手段】
【０００５】
廃棄ガラスの回収利用に使うガラス再製装置であって、本体を含み、前記本体の内部には第一運動空間が設置され、前記第一運動空間の左端壁には第一モータが固定的に設置され、前記第一モータの右側には右方に延びた第一軸が伝動可能に連結され、前記第一軸の左端には第一斜歯歯車が固定的に設置され、前記第一軸の右端には第一ラチェットが固定的に設置され、前記第一ラチェットの右端には右方に延びた第二軸が固定的に設置され、前記第一ラチェットの右方には第一プーリが設置され、前記第一プーリには伝動ベルトがスライド可能に設置され、前記第一プーリの上方には第二プーリが設置され、前記第二プーリと前記第一プーリとが前記伝動ベルトにより伝動可能に連結され、前記第二プーリの中心部には右方に延びた第三軸が固定的に設置され、前記第三軸の右方には第二運動空間が設置され、前記第二運動空間の内部には第二斜歯歯車が設置され、前記第二斜歯歯車と前記第三軸とが固定的に連結され、前記第三軸の上方には第三斜歯歯車が噛み合うように設置され、前記第三斜歯歯車の中心部には後方に延びた第四軸が固定的に設置され、前記第四軸には第三プーリが固定的に設置され、前記第三プーリには輸送ベルトがスライド可能に設置され、前記輸送ベルトには輸送空間が設置され、前記輸送空間の上方には開口が一個設置され、開口を通じて廃棄ガラスを前記輸送空間の内部に置くことができ、前記第一軸は正回転する時しか前記第二軸の回転を連動させることができず、前記第一プーリの右側には破砕空間が設置され、前記破砕空間と前記第一運動空間とが連通しており、前記破砕空間の内部には回転筒が設置され、前記回転筒が前記第二軸と固定的に連結されており、前記回転筒には破砕槌が固定的に設置され、前記回転筒の後方には前記回転筒と構成が一致する機構が設置され、前記回転筒の右方には第一歯車が設置され、前記第一歯車と前記第二軸とが固定的に連結され、前記第一歯車の後方には第二歯車が噛み合うように設置され、前記第二歯車の中心部には第五軸が固定的に設置され、前記第一斜歯歯車の下方には第四斜歯歯車が噛み合うように設置され、前記第四斜歯歯車の中心部には下方に延びた第六軸が固定的に設置され、前記第六軸の下端には第二ラチェットが固定的に設置され、前記第二ラチェットの下端には第九軸が固定的に設置されている。
【０００６】
有益的に、前記第九軸の下方には第一回転空間が設置され、前記第一回転空間の内部には第五斜歯歯車が設置され、前記第五斜歯歯車が前記第九軸と固定的に連結され、前記第五斜歯歯車の右方には第三歯車が噛み合うように設置され、前記第三歯車の周辺には第二回転空間が設置されている。
【０００７】
有益的には、前記第三歯車の中心部には洗浄倉が固定的に設置され、前記洗浄倉の周辺には第三回転空間が設置され、前記洗浄倉の左端の上方には洗浄倉水入り口が設置され、前記洗浄倉の左下端には第四回転空間が設置され、前記洗浄倉の内部には洗浄空間が設置され、前記洗浄空間の下端には洗浄止板が設置され、前記洗浄止板は前記洗浄空間の下端を封じている。
【０００８】
有益的には、前記第四回転空間の内部には第四歯車が設置され、前記第四歯車の中心部には動力軸が固定的に設置され、前記動力軸の下端には第二モータが伝動可能に連結されている。
【０００９】
有益的に、前記第四歯車の左端には外部歯車スリーブが噛み合うように設置され、前記外部歯車スリーブの中心部には第七軸がネジ山により連結され、前記第七軸の上方には移動空間が設置され、前記第七軸の上端にはピンが固定的に設置され、前記ピンは第七軸の回転を制限できる。
【００１０】
有益的には、前記第七軸の下方には排水止板が固定的に設置され、前記排水止板の左右両端には汚水出口があり、前記汚水出口の右端には防護網が設置され、前記洗浄倉の右下端には第五回転空間が設置され、前記第五回転空間の内部には第五歯車は設置されている。
【００１１】
有益的には、前記第五歯車の中心部には後方に延びた第八軸が固定的に設置され、前記第八軸の後方には第三モータが伝動可能に連結され、前記第三斜歯歯車の上方には前記洗浄止板が噛み合うように設置され、前記洗浄止板の右方には中空空間が設置されている。
【００１２】
有益的には、前記洗浄倉水入り口の上方には水入れ管路が設置され、前記水入れ管路の内部には水ポンプが設置され、前記水入れ管路の左方には水入れ口が設置され、前記汚水出口の左方には排水穴が設置され、前記排水穴と前記汚水出口とが連通しており、前記洗浄止板の下方には連結空間が設置され、前記連結空間の下方には溶解空間が設置され、前記連結空間と前記溶解空間とが連通するように連結され、前記溶解空間の周辺には加熱器が設置され、前記加熱器はガラスを加熱溶解することができる。
【発明の効果】
【００１３】
本願発明の有益効果は：本願発明は回収された廃棄ガラスを破砕してきれいに洗浄し、融かして新しいガラスに作り変えることができ、廃棄ガラスの循環利用に便利を与える。
【図面の簡単な説明】
【００１４】
下記に図１〜７をあわせて本発明について詳しく説明し、便利に説明するために、下記の方向を以下のように規定する：図１は本発明装置の正面図であり、本願に記載の各方向が、図１と同じ向きに装置を見た際の方向である。
【００１５】
【図１】図１は本願発明の全体構成図
【図２】図２は図１におけるＡの構成拡大図
【図３】図３は図１におけるＢの構成拡大図
【図４】図４は図１におけるＣ―Ｃの構成図
【図５】図５は図１におけるＤの構成拡大図
【図６】図６は図１におけるＥ―Ｅの構成図
【図７】図７は図４におけるＦ―Ｆの構成図
【発明を実施するための形態】
【００１６】
図１〜７の示したように、廃棄ガラスの回収利用に使うガラス再製装置であって、本体１０を含み、前記本体１０の内部には第一運動空間３７が設置され、前記第一運動空間３７の左端壁には第一モータ３９が固定的に設置され、前記第一モータ３９の右側には右方に延びた第一軸３０が伝動可能に連結され、前記第一軸３０の左端には第一斜歯歯車３８が固定的に設置され、前記第一軸３０の右端には第一ラチェット５１が固定的に設置され、前記第一ラチェット５１の右端には右方に延びた第二軸２９が固定的に設置され、前記第一ラチェット５１の右方には第一プーリ３３が設置され、前記第一プーリ３３には伝動ベルト３４がスライド可能に設置され、前記第一プーリ３３の上方には第二プーリ６１が設置され、前記第二プーリ６１と前記第一プーリ３３とが前記伝動ベルト３４により伝動可能に連結され、前記第二プーリ６１の中心部には右方に延びた第三軸６２が固定的に設置され、前記第三軸６２の右方には第二運動空間６４が設置され、前記第二運動空間６４の内部には第二斜歯歯車６３が設置され、前記第二斜歯歯車６３と前記第三軸６２とが固定的に連結され、前記第三軸６２の上方には第三斜歯歯車６５が噛み合うように設置され、前記第三斜歯歯車６５の中心部には後方に延びた第四軸３２が固定的に設置され、前記第四軸３２には第三プーリ３１が固定的に設置され、前記第三プーリ３１には輸送ベルト３５がスライド可能に設置され、前記輸送ベルト３６には輸送空間３５が設置され、前記輸送空間３５の上方には開口が一個設置され、開口を通じて廃棄ガラスを前記輸送空間３５の内部に置くことができ、前記第一軸３０は正回転する時しか前記第二軸２９の回転を連動させることができず、前記第一プーリ３３の右側には破砕空間２６が設置され、前記破砕空間２６と前記第一運動空間３７とが連通しており、前記破砕空間２６の内部には回転筒２８が設置され、前記回転筒２８が前記第二軸２９と固定的に連結されており、前記回転筒２８には破砕槌２７が固定的に設置され、前記回転筒２８の後方には前記回転筒２８と構成が一致する機構が設置され、前記回転筒２８の右方には第一歯車２５が設置され、前記第一歯車２５と前記第二軸２９とが固定的に連結され、前記第一歯車２５の後方には第二歯車６８が噛み合うように設置され、前記第二歯車６８の中心部には第五軸６９が固定的に設置され、前記第一斜歯歯車３８の下方には第四斜歯歯車４０が噛み合うように設置され、前記第四斜歯歯車４０の中心部には下方に延びた第六軸４１が固定的に設置され、前記第六軸４１の下端には第二ラチェット４４が固定的に設置され、前記第二ラチェット４４の下端には第九軸４６が固定的に設置されている。
【００１７】
有益的には、前記第九軸４６の下方には第一回転空間４８が設置され、前記第一回転空間４８の内部には第五斜歯歯車４５が設置され、前記第五斜歯歯車４５が前記第九軸４６と固定的に連結され、前記第五斜歯歯車４５の右方には第三歯車２１が噛み合うように設置され、前記第三歯車２１の周辺には第二回転空間２２が設置されている。
【００１８】
有益的には、前記第三歯車２１の中心部には洗浄倉２３が固定的に設置され、前記洗浄倉２３の周辺には第三回転空間２４が設置され、前記洗浄倉２３の左端の上方には洗浄倉水入り口４９が設置され、前記洗浄倉２３の左下端には第四回転空間６０が設置され、前記洗浄倉２３の内部には洗浄空間１６が設置され、前記洗浄空間１６の下端には洗浄止板１７が設置され、前記洗浄止板１７は前記洗浄空間１６の下端を封じている。
【００１９】
有益的には、前記第四回転空間６０の内部には第四歯車５９が設置され、前記第四歯車５９の中心部には動力軸５０が固定的に設置され、前記動力軸５０の下端には第二モータ５２が伝動可能に連結されている。
【００２０】
有益的には、前記第四歯車５９の左端には外部歯車スリーブ５６が噛み合うように設置され、前記外部歯車スリーブ５６の中心部には第七軸５５がネジ山により連結され、前記第七軸５５の上方には移動空間５８が設置され、前記第七軸５５の上端にはピン５７が固定的に設置され、前記ピン５７は第七軸５５の回転を制限できる。
【００２１】
有益的には、前記第七軸５５の下方には排水止板５４が固定的に設置され、前記排水止板５４の左右両端には汚水出口１４があり、前記汚水出口１４の右端には防護網５３が設置され、前記洗浄倉２３の右下端には第五回転空間１８が設置され、前記第五回転空間１８の内部には第五歯車７０は設置されている。
【００２２】
有益的には、前記第五歯車７０の中心部には後方に延びた第八軸６６が固定的に設置され、前記第八軸６６の後方には第三モータ６７が伝動可能に連結され、前記第三斜歯歯車６５の上方には前記洗浄止板１７が噛み合うように設置され、前記洗浄止板１７の右方には中空空間１９が設置されている。
【００２３】
有益的には、前記洗浄倉水入り口４９の上方には水入れ管路４３が設置され、前記水入れ管路４３の内部には水ポンプ４７が設置され、前記水入れ管路４３の左方には水入れ口４２が設置され、前記汚水出口１４の左方には排水穴１３が設置され、前記排水穴１３と前記汚水出口１４とが連通しており、前記洗浄止板１７の下方には連結空間１５が設置され、前記連結空間１５の下方には溶解空間１２が設置され、前記連結空間１５と前記溶解空間１２とが連通するように連結され、前記溶解空間１２の周辺には加熱器１１が設置され、前記加熱器はガラスを加熱溶解することができる。
【００２４】
本実施例における前記固定連結方法はボルト固定、溶接などを含むがこれらに限られていない。
【００２５】
装置全体の機械動作の順序：
１．静止状態の時、排水止板５４が一番下に位置し、洗浄止板１７が洗浄空間１６の下端を封じており、本願発明が作動し始める時、第一モータ３９を起動して第一軸３０を正回転させることで、第一斜歯歯車３８が連動して回転し、第六軸４１が第一斜歯歯車３８に連動して回転し、第六軸４１の回転は第二ラチェット４４を通じて第九軸４６を回転連動させることができない。
２．第一軸３０の正回転は第一ラチェット５１を通じて第二軸２９の回転を連動させることができ、第二軸２９の回転が第一プーリ３３の回転を連動させ、回転筒２８と第一歯車２５が回転し、第一歯車２５の回転により第二歯車６８が回転し、第二歯車６８の回転にしたがって第五軸６９が回転し、第五軸６９の回転がまた、回転筒２８の後に位置し且つ回転筒２８と構成が一致する機構の回転を連動させることで、回収の廃棄ガラスに対する破砕を行う。
３．第一プーリ３３の回転が伝動ベルト３４の運動を連動させ、伝動ベルト３４の運動が第二プーリ６１の運動を連動させ、第二プーリ６１の運動が第三軸６２の回転を連動させ、第三軸６２の回転が第二斜歯歯車６３の回転を連動させ、第二斜歯歯車６３の回転に連動して第三斜歯歯車６５が回転し、第三斜歯歯車６５がまた第四軸３２を回転連動させ、第四軸３２の回転が更に第三プーリ３１の回転を連動させ、第三プーリ３１の回転にしたがって輸送ベルト３５が運動し、輸送ベルト３６の運動により輸送空間３５の内部にある廃棄ガラスを破砕空間２６の内部に送ることを実現できる。
４．破砕されたガラスが洗浄空間１６の中に落ち、廃棄ガラスを回収利用するには洗浄する必要があるため、水ポンプ４７を起動し、水を水入れ管路４３を通って洗浄倉水入り口４９から洗浄空間１６の内部に注ぎ、洗浄空間１６の内部の水量が適当な位置まで達した後、水ポンプ４７を止める。
５．そして第一モータ３９を反転させることで、第一軸３０が反転して第一斜歯歯車３８を反転連動させ、第一斜歯歯車３８の回転は第四斜歯歯車４０の回転を連動させ、第四斜歯歯車４０に連動して第六軸４１が回転して第二ラチェット４４により第九軸４６を回転連動させ、第九軸４６の回転が第五斜歯歯車４５の回転を連動させ、第五斜歯歯車４５の回転に連動して第三歯車２１が回転して洗浄倉２３を旋転連動させ、洗浄倉２３の旋転により洗浄空間１６の内部の水が旋転してガラスを洗浄する。
６．洗浄完了後、洗浄倉２３を旋転させることで、汚水出口１４を排水穴１３の右端壁にある排水口と合わせ、第一モータ３９を止めた後に第二モータ５２を起動して動力軸５０を回転させ、動力軸５０の回転により第四歯車５９が回転して外部歯車スリーブ５６を回転連動させ、外部歯車スリーブ５６の回転が第七軸５５を上方へ連動させることで、排水止板５４が上方へ連動し、汚水出口１４が開き、洗浄空間１６の中の廃水が汚水出口１４から排水穴１３の中に流れて装置の外部まで排出され、排出過程において、破砕ガラスは防護網５３を通ることができない。
【００２６】
上記方式により、本分野の当業者は本願発明の範囲内に作動パターンにより各種な変化を実行できる。
【要約】
【課題】本発明は廃棄ガラスの回収利用に使うガラス再製装置を開示した。
【解決手段】本体を含み、前記本体の内部には第一運動空間が設置され、前記第一運動空間の左端壁には第一モータが固定的に設置され、前記第一モータの左側には右方に延びた第一軸が伝動可能に連結され、前記第一軸の左端には第一斜歯歯車が固定的に設置され、前記第一軸の右端には第一ラチェットが固定的に設置され、前記第一ラチェットの右端には右方に延びた第二軸が固定的に設置され、前記第一ラチェットの右方には第一プーリが設置され、前記第一プーリには伝動ベルトがスライド可能に設置され、前記第一プーリの上方には第二プーリが設置され、前記第二プーリと前記第一プーリとが前記伝動ベルトにより伝動可能に連結され、前記第二プーリの中心部には右方に延びた第三軸が固定的に設置される。
【選択図】図１【図１】
0006808138.tif 000002
【図２】
0006808138.tif 000003
【図３】
0006808138.tif 000004
【図４】
0006808138.tif 000005
【図５】
0006808138.tif 000006
【図６】
0006808138.tif 000007
【図７】
0006808138.tif 000008